(57)【特許請求の範囲】
【請求項１】
電気部品用の難燃性ポリマー組成物の製造方法であって
（ａ）ポリオレフィン樹脂に、
（ｂ）（ｉ）
１−シクロヘキシルオキシ−２，２，６，６−テトラメチル−４−オクタデシルアミノピペリジン；
２，４−ビス[（１−シクロヘキシルオキシ−２，２，６，６−テトラメチルピペリジニ−４−イル）ブチルアミノ]−６−（２−ヒドロキシ−エチルアミノ）−ｓ−トリアジン；
ビス（１−シクロヘキシルオキシ−２，２，６，６−テトラメチルピペリジニ−４−イル）アジペート；
２，４−ビス[（１−シクロヘキシルオキシ−２，２，６，６−テトラメチルピペリジニ−４−イル）ブチルアミノ]−６−クロロ−ｓ−トリアジン；
２，４−ビス［（１−シクロヘキシルオキシ−２，２，６，６−テトラメチルピペリジニ−４−イル）−ブチルアミノ］−６−クロロ−ｓ−トリアジンとＮ，Ｎ'−ビス［（３−アミノプロピル）エチレンジアミン］との反応生成物；
２，４−ビス[（１−シクロヘキシルオキシ−２，２，６，６−テトラメチルピペリジニ−４−イル）ブチルアミノ]−６−（２−ヒドロキシ−エチルアミノ）−ｓ−トリアジン；
２−クロロ−４，６−ビス（ジブチルアミノ）−ｓ−トリアジンでエンドキャップされた４，４'−ヘキサメチレン−ビス（アミノ−２，２，６，６−テトラメチルピペリジン）と２，４−ジクロロ−６−[（１−シクロヘキシルオキシ−２，２，６，６−テトラメチルピペリジニ−４−イル）ブチルアミノ]−ｓ−トリアジンとの縮合生成物であるオリゴマー化合物；および
次式
【化１】
0005570472.tif 000042
[式中、ｎは１ないし１５で表される。]
で表される化合物から成る群から選択される少なくとも一種の立体障害性アルコキシアミン安定剤と
（ｉｉ）
トリス［３−ブロモ−２，２−ビス（ブロモメチル）プロピル］ホスフェート
との相乗混合物であって、成分（ｉ）と成分（ｉｉ）の質量比が１：１４ないし１：５０の範囲であり、成分（ａ）の質量に基づいて、８質量％ないし１７質量％であるところの相乗混合物を添加すること
を含む方法。
【発明の詳細な説明】
【技術分野】
【０００１】
本発明は、電気電子部品用の難燃性ポリマー、特に、照明に利用するための難燃性ポリオレフィンをベースとするワイヤー用の絶縁体、プラグおよびソケットに関する。
【背景技術】
【０００２】
特許文献１は、ポリプロピレン中における臭素化Ｓｂ2Ｏ3を含む難燃剤と特定のＮＯＲ（Ｎ−アルコキシ）ヒンダードアミンの同時使用を開示する。
【０００３】
特許文献２は、アルコキシアミン官能性ヒンダードアミンと組み合わせた、ハロゲン化ヒドロカルビルホスフェートもしくはホスホネートエステル難燃剤の組み合わせにより難燃性にされたポリオレフィン組成物を開示する。
【０００４】
特許文献３は、特定のＮＯＲヒンダードアミンと特定の慣用の難燃剤を含むポリオレフィン組成物を開示する。 
【０００５】
特許文献４は、特定のＮ−アルコキシヒンダードアミンは有機ポリマー用の難燃剤として使用され得ることを開示する。
【０００６】
特許文献５は、Ｎ−ヒドロキシアルコキシヒンダードアミンとハロゲン化難燃剤を含むポリオレフィン組成物を開示する。
【０００７】
特許文献６及び対応する特許文献７は、Ｎ−アルコキシアミンを含むポリオレフィン難燃性不織布を開示する。
【０００８】
非特許文献１は、ハロゲン及びリン含有慣用難燃剤と共に特定のＮＯＲヒンダードアミンを含むポリオレフィンを開示する。
【０００９】
非特許文献２は、臭素化され た、ホスホラス含有難燃剤と共に特定のＮＯＲヒンダードアミンを含むポリオレフィンを開示する。
【００１０】
２００１年９月にプラスチックエンジニア協会のウエブサイトに投稿された要約中で、Ｎ．カップリニジスおよびＲ．キングはポリオレフィン中での難燃剤としてのＮＯＲヒンダードアミンの使用を検討している。前記要約は２００２年２月２４日テキサス州ヒューストンで開催されたポリオレフィン２００２会議において発表するためにポリマー変性剤及び添加剤部門の下位部門に提出された書類のためのものである。前記ウエブサイトはｗｗｗ．ＰＭＡＤ．ｏｒｇである。
【００１１】
特許文献８はアルコキシアミン官能性ヒンダードアミンとトリス（トリハロゲノペンチル）ホスフェート難燃剤を含むポリオレフィン組成物を開示する。
【００１２】
特許文献９、共に係属中の、１９９９年１１月３日に提出されたおよび２０００年１１月１６日に提出された特許文献１０係属中の特許文献１１は、難燃剤としての特定のＮ−アルコキシルヒンダードアミンの使用を開示する。
【００１３】
特許文献１２は、有機ハライドの難燃性ポリマー組成物を開示する。
【先行技術文献】
【特許文献】
【００１４】
【特許文献１】米国特許第５０９６９５０号明細書
【特許文献２】米国特許第５３９３８１２号明細書
【特許文献３】米国特許第５８４４０２６号明細書
【特許文献４】米国特許第６１１７９９５号明細書
【特許文献５】米国特許第６２７１３７７号明細書
【特許文献６】米国特許第６３０９９８７号明細書
【特許文献７】国際公開第ＷＯ９９／５４５３０号パンフレット
【特許文献８】欧州特許出願公開第０７９２９１１Ａ２号明細書
【特許文献９】国際公開第９９／００４５０号パンフレット
【特許文献１０】米国特許出願第０９／５０２，２３９号明細書
【特許文献１１】米国特許出願第０９／７１４，７１７号明細書
【特許文献１２】米国特許第６２２５３８７号明細書
【非特許文献】
【００１５】
【非特許文献１】Ａ Ｒｅｖｏｌｕｔｉｏｎａｒｙ ＵＶ Ｓｔａｂｌｅ Ｆｌａｍｅ Ｒｅｔａｒｄａｎｔ Ｓｙｓｔｅｍ ｆｏｒ Ｐｏｌｙｏｌｅｆｉｎｓ−Ｒ．スリニバサン，Ａ．グプタおよびＤ．ホルセイ，Ｉｎｔ．Ｃｏｎｆ．Ａｄｄｉｔ．Ｐｏｌｙｏｌｅｆｉｎｓ１９９８, ６９−８３
【非特許文献２】Ａｄｖａｎｃｅｓ ｉｎ ａ Ｒｅｖｏｌｕｔｉｏｎａｒｙ ＦｌａｍｅＲ ｅｔａｒｄａｎｔ Ｓｙｓｔｅｍ ｆｏｒ Ｐｏｌｙｏｌｅｆｉｎｓ−Ｒ．ス リニバサン，Ｂ．ロジンガー，Ｐｏｌｙｏｌｅｆｉｎｓ２０００, Ｉｎｔｌ． Ｃｏｎｆ．Ｐｏｌｙｏｌｅｆｉｎｓ２０００, ５７１−５８１
【発明の概要】
【発明が解決しようとする課題】
【００１６】
立体障害性アルコキシアミン安定剤と有機ハロゲン難燃剤の特定の組み合わせが照明用途の可塑性の電気部品に難燃性を付与する上で特に効果的であるということが発見された。
【課題を解決するための手段】
【００１７】
特に、本発明は
（ａ）熱可塑性樹脂および
（ｂ）（ｉ）少なくとも一種の立体障害性アルコキシアミン安定剤と
（ｉｉ）少なくとも一種の慣用の有機ハロゲン難燃剤
との相乗混合物の難燃有効量を含む電気部品用の難燃性ポリマー用の組成物に関連する。
【００１８】
成分（ｉ）で表されるアルコキシアミン安定剤
本発明のヒンダードアミンは、例えばモノマー化合物もしくはオリゴマー化合物又はポリマー化合物である。
【００１９】
本発明の成分（ｉ）の立体障害安定剤は当該技術で既知であり、そして例えば、次式
【化１】
0005570472.tif 000002
[式中、Ｇ1及びＧ2は互いに独立して炭素原子数１ないし８のアルキル基を表し、もしくは一緒になってペンタメチレン基を表し、Ｚ1とＺ2はそれぞれメチル基を表し、もしくはＺ1とＺ2は一緒になってエステル基、エーテル基、アミド基、アミノ基、カルボキシ基もしくはウレタン基によってさらに置換され得る結合部分を形成し、そしてＥはアルコキシ基、シクロアルコキシ基、アラルコキシ基、アリールオキシ基もしくは−Ｏ−Ｔ−（ＯＨ）bを表し、Ｔは炭素原子数１ないし１８の直鎖状又は分岐状アルキレン基、炭素原子数５ないし１８のシクロアルキレン基、炭素原子数５ないし１８のシクロアルケニレン基、フェニル基によってもしくは１個又は２個の炭素原子数１ないし４のアルキル基によって置換されるフェニル基により置換された直鎖状又は分岐状炭素原子数１ないし４のアルキレン基を表し、
ｂは１，２もしくは３を表すが、但し、ｂはＴ中の炭素原子数を超え得ることはなく、またｂが２ないし３のとき、それぞれのヒドロキシル基がＴの異なる炭素原子に結合する。]で表される。
【００２０】
Ｅは、例えばアルコキシ基、シクロアルコキシ基もしくはアラルコキシ基を表す。例えば、Ｅは、メトキシ基、プロポキシ基、シクロヘキシルオキシ基もしくはオクチルオキシ基を表す。
【００２１】
本発明の成分（ｉ）の立体障害安定剤は例えば
次式ＡないしＲ
【化２】
0005570472.tif 000003
【化３】
0005570472.tif 000004
【化４】
0005570472.tif 000005
【化５】
0005570472.tif 000006
【化６】
0005570472.tif 000007
【化７】
0005570472.tif 000008
［式中、Ｅは、炭素原子数１ないし１８のアルコキシ基、炭素原子数５ないし１２のシクロアルコキシ基もしくは炭素原子数７ないし１５のアラルコキシ基を表すか、又はＥは、−Ｏ−Ｔ−（ＯＨ）bを表し、Ｔは、炭素原子数１ないし１８の直鎖状又は分岐状アルキレン基、炭素原子数５ないし１８のシクロアルキレン基、炭素原子数５ないし１８のシクロアルケニレン基、フェニル基によってもしくは１個又は２個の炭素原子数１ないし４のアルキル基により置換されたフェニル基によって置換された直鎖状又は分岐状炭素原子数１ないし４のアルキレン基を表し、ｂは１，２もしくは３を表すが、但し、ｂはＴ中の炭素原子数を超え得ることはなく、またｂが２ないし３のとき、それぞれのヒドロキシル基がＴの異なる炭素原子に結合し、
Ｒは、水素原子もしくはメチル基を表し、
ｍは１ないし４を表し、
ｍが１であるとき、
Ｒ2は、水素原子、炭素原子数１ないし１８のアルキル基もしくは１個もしくはそれ以上の酸素原子によって所望により中断された前記アルキル基、炭素原子数２ないし１２のアルケニル基、炭素原子数６ないし１０のアリール基、炭素原子数７ないし１８のアラルキル基、グリシジル基、脂肪族、脂環式もしくは芳香族のカルボン酸のもしくはカルバミンサン酸の一価アシル基、例えば炭素原子数２ないし１８の脂肪族カルボン酸の、炭素原子数５ないし１２の脂環式カルボン酸のもしくは炭素原子数７ないし１５の芳香族カルボン酸のアシル基、もしくは
【化８】
0005570472.tif 000009
（式中、Ｘは０もしくは１を表す。）
【化９】
0005570472.tif 000010
（式中、ｙは２ないし４を表す。）を表し、
ｍが２であるとき、
Ｒ2は、炭素原子数１ないし１２のアルキレン基、炭素原子数４ないし１２のアルケニレン基、キシレン基、脂肪族、脂環式、芳香脂肪族、もしくは芳香族ジカルボン酸の、もしくはジカルバミン酸の二価アシル基、例えば炭素原子数２ないし１８の脂肪族ジカルボン酸の、炭素原子数８ないし１４の脂環式もしくは芳香族ジカルボン酸の、もしくは炭素原子数８ないし１４の脂肪族、脂環式もしくは芳香族のジカルバミン酸のアシル基、
【化１０】
0005570472.tif 000011
もしくは
【化１１】
0005570472.tif 000012
【化１２】
0005570472.tif 000013
（式中、Ｄ1とＤ2は互いに水素原子、８までの炭素原子数を含むアルキル基、３，５−ジ−ｔ−ブチル−４−ヒドロキシベンジル基を含むアリール基又はアラルキル基であり、Ｄ3は、水素原子もしくは炭素原子数１８までのアルカリ基もしくはアルケニル基、そしてｄは、０ないし２０を表す。）を表し、
ｍが３のとき、Ｒ2は脂肪族、不飽和脂肪族、シクロ脂肪族、もしくは芳香族トリカルボン酸の三価アクリル基；
ｍが４のとき、Ｒ2は飽和もしくは不飽和の脂肪族もしくは
１，２，３，４、−ブタネテトラカルボン酸、１，２，３，４、−ブテ−２−エネ−テトラカルボン酸、そして、１，２，４，５及び１，２，３，５−ペンタンテトラカルボン酸を含む芳香族テトラカルボン酸の四価アシル基であり；
ｐは１，２ないし３であり、Ｒ3は、水素原子、炭素原子数1ないし１２のアルキル基、炭素原子数５ないし７のシクロアルキル基、炭素原子数７ないし９のアラルキル基、炭素原子数２ないし１８のアルカノイル基、炭素原子数３ないし５のアルケノイル基もしくはベンゾイル基を表し；
ｐが１のとき、
Ｒ4は、水素原子、非置換の又はシアノ基、カルボニル基もしくはカルバミド基によって置換された炭素原子数１ないし１８のアルキル基、炭素原子５ないし７のシクロアルキル基、炭素原子数２ないし８のアルケニル基；アリール基、アラルキル基を表すか、又は、グリシジル基、式−ＣＨ2−ＣＨ（ＯＨ）−Ｚで表される基もしくは式−ＣＯ−Ｚもしくは−ＣＯＮＨ−Ｚ（式中、Ｚは水素原子、メチル基もしくはフェニル基を表す。）で表される基；もしくは次式
【化１３】
0005570472.tif 000014
もしくは
【化１４】
0005570472.tif 000015
（式中、ｈは０ないし１を表す。）で表される基を表し、
ｐが１を表すとき、Ｒ3とＲ4は一緒になって炭素原子数４ないし６のアルキレン基もしくは２−オキソ−ポリアルキレン基、脂肪族もしくは芳香族の１，２−もしくは１，３−ジカルボン酸の環式アシル基であり得、
ｐは２を表すとき、
Ｒ4は直接結合もしくは炭素原子数１ないし１２のアルキレン基、炭素原子数６ないし１２であるアリーレン基、キシリレン基、−ＣＨ2ＣＨ（ＯＨ）−ＣＨ2基もしくは−ＣＨ2−ＣＨ（ＯＨ）−ＣＨ2−Ｏ−Ｘ−Ｏ−ＣＨ2−ＣＨ（ＯＨ）−ＣＨ2−基（式中、Ｘは、炭素原子数２ないし１０のアルキレン基、炭素原子数６ないし１５のアリーレン基もしくは炭素原子数６ないし１２のシクロアルキレン基を表す。）を表すか又は、Ｒ3がアルカノイル基、アルケノイル基、もしくはベンゾイル基を表さないことを条件に、Ｒ4はまた脂肪族の、脂環式のもしくは芳香族のジカルボン酸もしくはジカルバミン酸の二価アシル基を表し得、又は−ＣＯ−基を表し得；もしくは
Ｒ4は
【化１５】
0005570472.tif 000016
［式中、Ｔ8とＴ9は互いに独立して水素原子、炭素原子数１ないし１８のアルキル基、又は、Ｔ8とＴ9は一緒になって炭素原子数４ないし６のアルキレン基もしくは３−オキソペンタメチレン基を表し、例えばＴ8とＴ9は一緒になって３−オキソペンタメチレン基を表し、
ｐが３を表すとき、
Ｒ4は２，４，６−トリアジニル基を表し、
ｎは１もしくは２を表し、
ｎは１を表すとき、
Ｒ5及びＲ'5は互いに独立して炭素原子数１ないし１２のアルキル基、炭素原子数２ないし１２のアルケニル基、炭素原子数７ないし１２のアラルキル基を表し、又はＲ5はまた水素原子を表し、Ｒ5及びＲ'5は一緒になって炭素原子数２ないし８のアルキレン基もしくはヒドロキシアルキレン基もしくは炭素原子数４ないし２２のアシルオキシアルキレン基；
ｎが２を表すとき、
Ｒ5とＲ'5は一緒になって（−ＣＨ2）2Ｃ（ＣＨ2−）2を表し；
Ｒ6は、水素原子、炭素原子数１ないし１２のアルキル基、アリル基、ベンジル基、グリシジル基もしくは炭素原子数２ないし６のアルコキシアルキル基を表し；
ｎが１を表すとき、
Ｒ7は、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式―（ＣＨ2）ｔ−ＣＯＯ−Ｑで表される基もしくは式−（ＣＨ2）t−Ｏ−ＣＯ−Ｑ（式中、ｔは１もしくは２を表し、そしてＱは炭素原子数１ないし４のアルキル基もしくはフェニル基を表す。）で表される基を表し、
ｎが２を表すとき、
Ｒ7は、炭素原子数２ないし１２のアルキレン基、炭素原子数６ないし１２のアリーレン基、基−ＣＨ2ＣＨ（ＯＨ）−ＣＨ2−Ｏ−Ｘ−Ｏ−ＣＨ2−ＣＨ（ＯＨ）−ＣＨ2（式中、Ｘは炭素原子数２ないし１０のアルキレン基、炭素原子数６ないし１２のアリーレン基もしくは炭素原子数６ないし１２のシクロアルキレン基を表す。）、もしくは基−ＣＨ2ＣＨ（ＯＺ'）ＣＨ2−（ＯＣＨ2−ＣＨ（ＯＺ'）ＣＨ2）2−（式中、Ｚ'は水素原子、炭素原子数１ないし１８のアリキル基、アリル基、ベンジル基、炭素原子数２ないし１２アルカノイル基もしくはベンゾイル基を表す。）を表し、
Ｑ1は、−Ｎ（Ｒ8）−もしくは−Ｏ−を表し、；Ｅ7は、炭素原子数１ないし３のアルキレン基、基−ＣＨ2−ＣＨ（Ｒ9）−Ｏ−、（式中、Ｒ9は水素原子、メチル基もしくはフェニル基を表す。）を表し、基−（ＣＨ2）3−ＮＨ−もしくは直接結合を表し、；
Ｒ10は、水素原子もしくは炭素原子数１ないし１８のアルキル基を表し、Ｒ8は水素原子、炭素原子数１ないし１８のアルキル基、炭素原子数５ないし７のシクロアルキル基、炭素原子数７ないし１２のアラルキル基、シアノエチル基、炭素原子数６ないし１０のアリール基、基−ＣＨ2−ＣＨ（Ｒ9）−ＯＨ［式中、Ｒ9は、上記で定義された意味を持つ］；次式で表される基
【化１６】
0005570472.tif 000017
もしくは次式で表される基
【化１７】
0005570472.tif 000018
（式中、Ｇ4は炭素原子数２ないし６のアルキレン基もしくは炭素原子数６ないし１２のアリーレン基を表す。）を表し；もしくはＲ8は基−Ｅ7−ＣＯ−ＮＨ−ＣＨ2−ＯＲ10を表し；
式Ｆはポリマーくり返し構造単位（式中、Ｔ3がエチレン基もしくは１，２−プロピレン基を表す。）の
を表し、アルキルアクリラートもしくはメタクリル酸エステルを有するアルファ−オレフィンコポリマーから導かれる反復構造単位を表し；例えば、エチレンとアクリル酸エチルのコポリマーを表し、そして式中、ｋは２ないし１００を表す；
ｐが１ないし２のとき、Ｔ4は前記Ｒ4と同じ意味を表し、
Ｔ5はメチル基を表し、
Ｔ6は、メチル基もしくはエチル基を表し、Ｔ5とＴ6は一緒になってテトラメチレン基もしくはペンタメチレン基を表し、例えばＴ5とＴ6はそれぞれメチル基を表し、
ＭとＹは互いに独立してメチレン基もしくはカルボニル基を表し、そしてｎは２を表すとき、Ｔ4は、エチレン基を表し；
Ｔ7は、Ｒ7と同じ意味を表し、そしてＴ7は、ｎは２を表すとき、例えばオクタメチレン基を表し、
Ｔ10とＴ11は互いに独立して炭素原子数２ないし１２のアルキレン基を表し、もしくはＴ11は
【化１８】
0005570472.tif 000019
を表し、
Ｔ12はピペラジニル基、
【化１９】
0005570472.tif 000020
もしくは
【化２０】
0005570472.tif 000021
（式中、Ｒ11は、Ｒ3と同じ意味を表し、もしくはまた
【化２１】
0005570472.tif 000022
を表し、
ａ，ｂおよびｃは互いに独立して２もしくは３を表し、そしてｆは０ないし１を表し、例えばａとｃはそれぞれ３を表し、ｂは２を表し、そしてｆは１を表す。）を表し、；そして
ｅは、２、３もしくは４、例えば４を表し；
Ｔ13は、Ｒ2と同じものを表すが、但し、ｎが１を表すとき、Ｔ13は水素原子を表すことができず；
Ｅ1とＥ2は、異なっており、それぞれ−ＣＯ−もしくは−Ｎ（Ｅ5）−（式中、Ｅ5は水素原子、炭素原子数１ないし１２のアルキル基もしくは炭素原子数４ないし２２のアルコキシカルボニルアルキル基を表す。）を表し、例えばＥ1は−ＣＯ−を表しそしてＥ2は−Ｎ（Ｅ5）−を表し，
Ｅ3は水素原子、炭素原子数１ないし３０のアルキル基、フェニル基、ナフチル基、塩素原子もしくは炭素原子数１ないし４のアルキル基によって置換された前記フェニル基もしくは前記ナフチル基、もしくは炭素原子数７ないし１２のフェニルアルキル基、もしくは炭素原子数１ないし４のアルキル基によって置換された前記フェニルアルキル基、を表し、
Ｅ4は水素原子、炭素原子数１ないし３０のアルキル基、フェニル基、ナフチル基、もしくは炭素原子数７ないし１２のフェニルアルキル基を表し、又は、
Ｅ3とＥ4は一緒になって炭素原子数４ないし１７のポリメチレン基を表し、もしくは最大４個までの炭素原子数１ないし４のアルキル基、例えばメチル基によって置換された前記ポリメチレン基を表し、
Ｅ6は脂肪族のもしくは芳香性四価基を表し、
ｍが１を表すとき、式（Ｎ）のＲ2は、前述で定義されたものを表し、
Ｇ1は直接結合、炭素原子数１ないし１２のアルキレン基、フェニレン基もしくは−ＮＨ−Ｇ'−ＮＨ（式中、Ｇ'は炭素原子数１ないし１２のアルキレン基を表す。）を表すものであるか；もしくは
ヒンダードアミン化合物は次式Ｉ、ＩＩ，ＩＩＩ、ＩＶ、Ｖ、ＶＩ、ＶＩＩ、ＶＩＩＩ、ＩＸ、ＸもしくはＸＩ
【化２２】
0005570472.tif 000023
【化２３】
0005570472.tif 000024
【化２４】
0005570472.tif 000025
【化２５】
0005570472.tif 000026
［式中、
Ｅ1、Ｅ2、Ｅ3およびＥ4は互いに独立して炭素原子数１ないし４のアルキル基を表すか
、Ｅ1とＥ2は互いに独立して、炭素原子数１ないし４のアルキル基を表し、そしてＥ3とＥ4は一緒になってペンタメチレン基、もしくはＥ1及びＥ2を表し；そしてＥ3とＥ4それぞれ一緒になってペンタメチレン基を表し、
Ｒ1は炭素原子数の１ないし１８のアルキル基、炭素原子数の５ないし１２のシクロアルキル基、炭素原子数の７ないし１２の二環式もしくは三環式の炭化水素基、炭素原子数７ないし１５のフェニルアルキル基、炭素原子数６ないし１０のアリール基もしくは１個ないし３個の炭素原子数１ないし８のアルキル基によって置換された前記アリール基を表し、
Ｒ2は水素原子又は炭素原子数１ないし１２の直鎖状もしくは分岐状アルキル基を表し、
Ｒ3は炭素原子数１ないし８のアルキレン基を表し、もしくはＲ3は−ＣＯ−、−ＣＯ−Ｒ4−、−ＣＯＮＲ2−、もしくは−ＣＯ−ＮＲ2−Ｒ4−を表し、
Ｒ4は炭素原子数１ないし８のアルキレン基を表し、
Ｒ5は水素原子、炭素原子数１ないし１２の直鎖状もしくは分岐状アルキル基を表し、又は、
【化２６】
0005570472.tif 000027
を表し、
もしくはＲ4がエチレン基を表すとき、２個のＲ5メチル置換基は直接結合によって結合され得、従ってトリアジン架橋基−Ｎ（Ｒ5）−Ｒ4Ｎ（Ｒ5）−はピペラジン−１，４−ジル部分を表し、
Ｒ6は、炭素原子数２ないし８のアルキレン基を表し、もしくはＲ6は
【化２７】
0005570472.tif 000028
を表すが、但し
Ｒ6が上記で描かれた構造を持つとき、Yは−OHを表さず、
Aは−O−もしくは−ＮＲ7（式中、Ｒ7は水素原子、直鎖状もしくは分岐状炭素原子数１ないし１２のアルキル基を表す。）を表し、もしくはＲ7は
【化２８】
0005570472.tif 000029
を表し、
Ｔは、フェノキシ基、１個もしくは２個の炭素原子数１ないし４のアルキル基によって置換されるフェノキシ基、炭素原子数１ないし８のアルコキシ基、もしくはＲ2が水素原子を表さないという条件で−Ｎ（Ｒ2）2を表し、又はＴは
【化２９】
0005570472.tif 000030
を表し、
Xは−ＮＨ2、−ＮＣＯ、−ＯＨ、−Ｏ−グリシジル基、もしくは−ＮＨＮＨ2を表し、そして
Yは−ＯＨ、−ＮＨ2、−ＮＨＲ2（式中、Ｒ2は水素原子を表さない。）を表し；又はYは−ＮＣＯ、−ＣＯＯＨ、オキシラニル基、−Ｏ−グリシジル基、−Ｓｉ（ＯＲ2）3を表し；又は組合せＲ3−Ｙ−は−ＣＨ2ＣＨ（ＯＨ）Ｒ2（式中、Ｒ2はアルキル基もしくは一ないし４個の炭素原子数によって中断された前記アルキル基を表す。）を表し、又はＲ3−Y−は−ＣＨ2ＯＲ2を表す。］で表される化合物であるか；
又は
障害アミン化合物はＮ，Ｎ'，N'''−トリス｛２，４−ビス［（１−ヒドロカルビルオキシ−２，２，６，６−テトラメチルピペリジン−４−イル）アルキルアミノ基］−ｓ−トリアジン−６−イル｝−３、３'−エチレンジイミノジプロピルアミン；Ｎ，Ｎ'，N'''−トリス｛２，４−ビス［（１−ヒドロカルビルオキシ−２，２，６，６−テトラメチルピペリジン−４−イル）アルキルアミノ基］−ｓ−トリアジン−６−イル｝−３、３'−エチレンジイミノジプロピルアミン及び次式I、II、IIAそしてIIIによって表される架橋された誘導体の混合物であり、
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ4（Ｉ）
Ｔ−Ｅ1−Ｔ1             （ＩＩ）
Ｔ−Ｅ1                 （ＩＩＡ）
Ｇ−Ｅ1−Ｇ1−Ｅ1−Ｇ1     （ＩＩＩ）
式Iで表されるテトラアミンにおいて、
Ｒ1とＲ2はｓ−トリアジン基の部分Ｅを表し；そしてＲ3とＲ4のうち一方はｓ−トリアジン部分Ｅを表し、Ｒ3もしくはＲ4の他方は水素原子であり、
Ｅは
【化３０】
0005570472.tif 000031
を表し、
Ｒはメチル基、プロピル基、シクロヘキシル基、もしくはオクチル基、例えばシクロヘ
キシル基を表し、
Ｒ5は炭素原子数１ないし１２のアルキル基、例えばｎ−ブチル基を表し、
式中、Ｒがプロピル基、シクロヘキシル基、もしくはオクチル基であるとき、式ＩＩもしくは式ＩＩＡの化合物において、
ＴとＴ1はそれぞれ次式Ｉのために定義されたように、Ｒ1ないしＲ4によって置換されたテトラアミンを表し、
ここで、
（１）それぞれのテトラアミン中のｓ−トリアジン部分Ｅのうちの１個は、２個 のテトラアミンＴとＴ1間を架橋する基Ｅ1により置き替えられ、
Ｅ1は、
【化３１】
0005570472.tif 000032
を表し、
又は
（２）前記基Ｅ1は、前記テトラアミンの基Ｅ部分のうち２個は１個のＥ1基 により置き替えられる式ＩＩにおいてと同じように同一のテトラアミンＴ中に 両方の末端を持ち得、又は
（３）１個の基Ｅ1がＴとＴ1トを結合し、また第二のＥ1がテトラアミンＴ中の両末端を持ち得るように、テトラアミンＴを表す３個全てのｓ−トリアジン基置換基はＥ1であり得、
Ｌはプロパネジイル基、シクロヘクサネジイル基もしくはオクタネジイル基を表し；
式IIIを表す前記化合物において
Ｇ、Ｇ1そしてＧ2はそれぞれ、ＧとＧ2がそれぞれ基Ｅ1により置き替えられた前記ｓ−トリアジン基部分Ｅのうちのひとつを持つか、またＧ1がＥ1により置き替えられた前記トリアジン基部分Ｅのうちのふたつを持つ場合を除いて、式Iのために定義された通り、Ｒ1ないしＲ4によって置換されたテトラアミン基を表し、従ってＧとＧ1の間に橋が存在し、またＧ1とＧ2の間に第二の橋が存在し；
前記混合物は、２ないし4等量の２，４−ビス［（１−ヒドロカルボニルオキシ−２，２，６，６−テトラメチルピペリジン−４−イル）ブチルアミノ］−６−クロローｓ−トリアジンを１等量のN、Ｎ'−ビス（３−アミノプロピル）エチレンジアミンと反応させることによって準備され；
もしくはヒンダードアミンは、次式ＩＩＩbで表される化合物であり、
【化３２】
0005570472.tif 000033
式中、指数ｕは、１ないし１５を表し；
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレン−ジ（炭素原子数１ないし４のアルキレン）、炭素原子数１ないし４のアルキレンジ（炭素原子数５ないし７のシクロアルキレン）、フェニルレンジ（炭素原子数１ないし４のアルキレン）もしくは１，４−ピペラジンジイルにより、−Ｏ−により又は＞Ｎ−Ｘ1
（Ｘ1は炭素原子数１ないし１２のアシル基もしくは炭素原子数１ないし１２のアルコキシカルボニル基または水素原子以外の以下で与えられたＲ14の定義のうちの一つを有する。）
により中断された炭素原子数４ないし１２のアルキレン基を表すか、
もしくはＲ12は次式（Ｉｂ'）もしくは（Ｉｃ'）で表される基を表し；
【化３３】
0005570472.tif 000034
（式中、Ｘ2は炭素原子数１ないし１８のアルキル基、未置換の又は１，２もしくは３個の炭素原子数１ないし４のアルキル基によって置換された炭素原子数５ないし１２のシクロアルキル基；未置換のもしくは１，２もしくは３個の炭素原子数１ないし４のアルキル基又は炭素原子数１ないし４のアルコキシ基によって置換されたフェニル基；未置換の又は１，２もしくは３個の炭素原子数１ないし４のアルキル基によってフェニル基上が置換された炭素原子数７ないし９のフェニルアルキル基を表し；そして基Ｘ3は 互いに独立して炭素原子数２ないし１２のアルキレン基を表す。）；
Ｒ13、Ｒ14そしてＲ15は同一又は異なり、水素原子、炭素原子数１ないし１８のアルキル基、未置換の又は１，２、もしくは３個の炭素原子数１ないし４のアルキル基によって置換された炭素原子数５ないし１２のシクロアルキル基を表す；炭素原子数３ないし１８のアルケニル基、未置換のもしくは１，２もしくは３個の炭素原子数１ないし４のアルキル基又は炭素原子数１ないし４のアルコキシル基によって置換された炭素原子数７ないし９のフェニルアルキル基；テトラヒドロフルフリル基又は−ＯＨにより、炭素原子数１ない
し８のアルコキシル基により、ジ（炭素原子数１ないし４のアルキル基）アミノ基により又は次式（ｌｅ'）で表される基により２、３もしくは４位において置換された炭素原子数２ないし４のアルキル基を表し、
【化３４】
0005570472.tif 000035
（式中、Ｙは−Ｏ−、−ＣＨ2−、−ＣＨ2ＣＨ2−、もしくは＞Ｎ−ＣＨ3を表す。）
もしくは−Ｎ（Ｒ14）（Ｒ15）はさらに式（ｌｅ'）の基を表し；
基Ａは互いに独立して−ＯＲ13、−Ｎ（Ｒ14）（Ｒ15）もしくは次式（ＩＩＩｂ）を表す基を表し；
【化３５】
0005570472.tif 000036
Ｘは−Ｏ−もしくは＞Ｎ−Ｒ16を表し；
Ｒ16は水素原子、炭素原子数１ないし１８のアルキル基、炭素原子数３ないし１８のアルケニル基、未置換の又は１，２もしくは３個の炭素原子数１ないし４のアルキル基により置換された炭素原子数５ないし１２のアルケニル基；未置換の又は１，２もしくは３個の炭素原子数１ないし４のアルキル基でフェニル基上か置換された炭素原子数７ないし９のフェニルアルキル基；テトラヒドロフルフリル基、次式（ＩＩＩｆ）で表される基、
【化３６】
0005570472.tif 000037
又は−ＯＨにより、炭素原子数１ないし８のアルコキシル基により、ジ（炭素原子数１ないし４のアルキル基）アミノ基により、又は次式（ｌｅ'）で表される基により２、３もしくは４位で置換された炭素原子数２ないし４のアルキル基を表し；
Ｒ11はＲ16のために与えられた定義のうちの一つを有し；そして
前記基Ｂは、Ａのために与えられた定義のうちのひとつを有する。
【発明を実施するための形態】
【００２２】
アルキル基は直鎖もしくは分岐しており、そして例えばメチル基、エチル基、ｎ−プロピル基、ｎ−ブチル基、第二−ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基もしくはｎ−オクタデシル基を表す。
【００２３】
シクロアルキル基はシクロペンチル基及びトシクロヘキシル基を含み；典型的なシクロアルケニル基はシクロヘキセニル基を含む；一方、典型的なアラルキル基はベンジル基、アルファ−メチル−ベンジル基、アルファ、アルファ−ジメチルベンジル基もしくはフェネチル基を含む。
【００２４】
アルコキシ基とシクロアルコキシ基は対応するアルキル基及びシクロアルキル基から成る。
【００２５】
Ｒ2がカルボン酸の一価アシル基である場合、それは例えば酢酸、ステアリン酸、サリチル酸、安息香酸もしくはβ−（３，５−ジ−第三−ブチル−４−ヒドロキシフェニル）プロピオン酸のアシル基を表す。
【００２６】
Ｒ2がジカルボン酸のニ価アシル基である場合、例えばそれはシュウ酸、アジピン酸、コハク酸、スベリン酸、セバシン酸、フタル酸、ジブチルマロン酸、ジベンジルマロン酸もしくはブチル−（３，５−ジー第三ーブチル−４−ヒドロキシベンジル）−マロン酸のアシル基、又はジシクロヘプテンジカルボン酸のアシル基であり、スクシネート、セバケート、フタレートそしてイソフタレートが具体例である。
【００２７】
Ｒ2がカルバミン酸のニ価アシル基である場合、それは例えばヘキサメチレンジカルバミン酸もしくは２，４−トリレンジカルボン酸のアシル基である。
【００２８】
成分（ｉ）のヒンダードアルコキシアミン安定剤は当該技術で周知であり、またＮ−アルコキシヒンダードアミン又はＮＯＲヒンダードアミン又もしくはＮＯＲヒンダードアミン光安定剤もしくはＮＯＲ ＨＡＬＳとして既知である。
【００２９】
それらは、例えば、米国特許第５００４７７０号明細書、米国特許第５２０４４７３号明細書、米国特許第５０９６９５０号明細書、米国特許第５３００５４４号明細書、米国特許第５１１２８９０号明細書、米国特許第５１２４３７８号明細書、米国特許第５１４５８９３号明細書、米国特許第５２１６１５６号明細書、米国特許第５８４４０２６号明細書、米国特許第６１１７９９５号明細書、米国特許第６２７１３７７号明細書、米国特許出願公開第０９／５０５，５２９号明細書、２０００年２月１７日出願、米国特許出願公開第０９／７９４，７１０号明細書、２００１年２月２７日出願、米国特許出願公開第０９／７１４，７１７号明細書、２０００年１１月１６日出願、米国特許出願公開第０９／５０２，２３９号明細書、１９９９年１１月３日出願及び米国特許出願公開第６０／３１２，５１７号明細書、２００１年８月１５日出願のために開示されている。上記の特許及び出願の関連する開示事項は、参照によりここに組み込まれている。
上記で引用された米国特許第６２７１３７７号明細書および米国特許出願公開第０９／５０５，５２９号明細書、２０００年２月１７日出願および米国特許出願公開第０９／７９４，７１０号明細書、２００１年２月２７日出願は、ヒンダードヒドロキシアルコキシアミン安定剤を開示する。この発明の目的のために、前記ヒンダードヒドロキシアルコキシアミン安定剤はヒンダードアルコキシアミン安定剤の従属事項と考えられ、本発明の成分（ｉ）の一部であると考えられている。ヒンダードヒドロキシアルコキシアミン安定剤はまたＮ−ヒドロキシアルコキシヒンダードアミン、もしくはＮＯＲｏｌ ＨＡＬＳとして既知である。
【００３０】
成分（ｉ）の好ましいヒンダードアミンは例えば、
ＮＯＲ１  １−シクロヘキシロキシ−２，２，６，６−テトラメチル−４−オクタデシルアミノピペリジン；
ＮＯＲ２  ビス（１−オクチロキシ−２，２，６，６−テトラメチルピペリジン−４−イル）セバケート；
ＮＯＲ３  ２，４−ビス［（１−シクロヘキシロキシ−２，２，６，６−テトラメチルピペリジン−４−イル）ブチルアミノ］−６−（２−ヒドロキシエチルアミノ）−ｓ−トリアジン；
ＮＯＲ４  ２，４−ビス［（１−シクロヘキシロキシ−２，２，６，６−テトラメチルピペリジン−４−イル）ブチルアミノ］−６−クロロ−ｓ−トリアジン；
ＮＯＲ５  １−（２−ヒドロキシ−２−メチルプロポキシ）−４−ヒドロキシ−２，２，６，６−テトラメチルピペリジン；
ＮＯＲ６  １−（２−ヒドロキシ−２−メチルプロポキシ）−４−オキソ−２，２，６，６−テトラメチルピペリジン；
ＮＯＲ７  １−（２−ヒドロキシ−２−メチルプロポキシ）−４−オクタデカノイロキシ−２，２，６，６−テトラメチルピペリジン；
ＮＯＲ８  ビス（１−（２−ヒドロキシ−２−メチルプロポキシ）−２，２，６，６−テトラメチルピペリジン−４−イル）セバケート；
ＮＯＲ９  ビス（１−（２−ヒドロキシ−２−メチルプロポキシ）−２，２，６，６−テトラメチルピペリジン−４−イル）アジペート；
ＮＯＲ１０  ２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン；
ＮＯＲ１１  ２，４−ビス［（１−シクロヘキシロキシ−２，２，６，６−テトラメチルピペリジン−４−イル）ブチルアミノ］−６−クロロ−ｓ−トリアジンとＮ，Ｎ'−ビス（３−アミノプロピル）エチレンジアミン）の反応生成物［ＣＡＳ登録番号．１９１６８０−８１−６］；及び
ＮＯＲ１２  次式
【化３７】
0005570472.tif 000038
（式中、ｎは、１ないし１５を表す。）で表される化合物、を含む。
化合物ＮＯＲ１２は米国特許第６１１７９９５号明細書の実施例２に開示されている。ＮＯＲ１３  ビス（１−シクロヘキシロキシ−２，２，６，６−テトラメチルピペリジン−４−イル）アジペート；
例えば、本発明のヒンダードアルコキシアミンはヒンダードシクロヘキシロキシアミンを表す。
前記Ｎ−シクロヘキシヒンダードアミンは、例えば
（ａ）式Ｉ、ＩＩ、ＩＩＡおよびＩＩＩ（式中、Ｒはシクロヘキシル基を表す。）で表される化合物の混合物；
（ｂ）１−シクロヘキシルオキシ−２，２，６，６−テトラメチル−４−オクタデシルアミノピペリジン；
（ｃ）２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン；
（ｄ）ビス（１−シクロヘキシロキシ−２，２，６，６−テトラメチルピペリジン−４−イル）アジペート；
（ｅ）４、４'−ヘキサメチレン−ビス（アミノ−２，２，６，６−テトラメチルピペリジン）と２−クロロ−４，６−ビス（ジブチルアミノ）−ｓ−トリアジンによってエン
ドキャップされた２，４−ジクロロ−６−［（１−シクロヘキシルオキシ−２，２，６，６−テトラメチルピペリジン−４−イル）ブチルアミノ］−ｓ−トリアジンとの重縮合製造物であるオリゴマー化合物；及び
（ｆ）２，４−ビス［（１−シクロヘキシルオキシ−２，２，６，６−テトラメチルピペリジン−４−イル）ブチルアミノ］−６−シクロローｓ−トリアジン
から成る群から選択される。
【００３１】
有機ハロゲン難燃剤
有機ハロゲン難燃剤は、例えば：
クロロアルキルホスフェートエステル（アンチブレイズ（登録商標：ＡＮＴＩＢＬＡＺＥ）ＡＢ−１００、オルブライトアンドウィルソン社；フィロール（登録商標：ＦＹＲＯＬ）ＦＲ−２、アクソノーベル社）、
トリス（２−クロロエチル）ホスフェート、
ポリ臭素化ジフェニルオキシド（ＤＥ−６０Ｆ，グレートレイクス社）、
デカブロモジフェニルオキシド（ＤＢＤＰＯ；セイテックス（登録商標：ＳＡＹＴＥＸ）１０２Ｅ）、
トリス［３−ブロモ−２，２−ビス（ブロモメチル）プロピル］ホスフェート（ＰＢ３７０（登録商標）、ＦＭＣ社）、
トリス（２，３−ジブロモプロピル）ホスフェート、
トリス（２，３−ジクロロプロピル）ホスフェート、
クロレンド酸、
テトラクロロフタル酸、
テトラブロモフタル酸、
ビス−（Ｎ，Ｎ'−ヒドロキシエチル）テトラクロロフェニレンジアミン、
ポリ−β−クロロエチルトリホスホネート混合物、
テトラブロモビスフェノールＡのビス（２，３−ジブロモプロピルエーテル）（ＰＥ６８）、
臭素化エポキシ樹脂、
エチレン−ビス（テトラブロモフタルイミド）（セイテックス（登録商標：ＳＡＹＴＥＸ）ＢＴ−９３）、
ビス（ヘキサクロロシクロペンタジエノ）シクロオクタン（デクロレイン プラス（登録商標：ＤＥＣＬＯＲＡＮＥ ＰＬＵＳ）、
塩素化パラフィン、
オクタブロモジフェニルエーテル、
ヘキサクロロシクロペンタジエン誘導体、
１，２−ビス（トリブロモフェノキシ）エタン（ＦＦ６８０）、
テトラブロモ−ビスフェノールＡ（セイテックス（登録商標：ＳＡＹＴＥＸ）ＲＢ１００）、
エチレンビス−（ジブロモ−ノルボルナンジカルボキシイミド）（セイテックス（登録商標：ＳＡＹＴＥＸ）ＢＮ−４５１）、
ビス−（ヘキサクロロシクロペンタジエノ）シクロオクタン、
ＰＴＦＥ、
トリス−（２，３−ジブロモプロピル）−イソシアヌレート、及び
エチレン−ビス−テトラブロモフタルイミド
が挙げられる。
【００３２】
例えば、慣用の難燃剤は、有機ブロミン難燃剤であり、好ましくは
ポリ臭素化ジフェニルオキシド、
デカブブロモジフェニルオキシド、
トリス［３−ブロモ−２，２−ビス（ブロモメチル）プロピル］ホスフェート、
トリス（２，３−ジブロモプロピル）ホスフェート、
テトラブロモフタル酸、
テトラブロモビスフェノルＡのビス（２，３−ジブロモプロピルエステル）、
臭素化エポキシ樹脂、
エチレン−ビス（テトラブロモフタルイミド）、
オクタブロモジフェニルエーテル、
１，２−ビス（トリブロモフェノキシ）エタン、
テトラブロモ−ビスフェノールＡ、
エチレンビス−（ジブロモ−ノルボルナンジカルボキシイミド）、
トリス−（２，３−ジブロモプロピル）−イソシアヌレート及び
エチレン−ビス−テトラブロモフタルイミド
から成る群から選択される。
【００３３】
また前記有機ハロゲン難燃剤が臭素化ヒドロカルビルホスフェートもしくはホスホネート、例えば、トリス［３−ブロモ−２，２−ビス（ブロモメチル）プロピル］ホスフェート［ＰＢ３７０（登録商標）］である組成物も好ましい。
本発明において有用である前記ハロゲン化難燃剤は、ハロゲン化ベンゼン、ビフェニル、フェノール、それらのエーテル又はエステル、ビスフェノール、ビフェニルオキシド、芳香性カルボン酸もしくはポリ酸、無水物、それらのアミドもしくはイミドのような有機芳香族ハロゲン化化合物；有機脂環式ハロゲン化化合物もしくは有機ポリ脂環式ハロゲン化化合物；そして  ハロゲン化パラフィン、オリゴ−もしくはポリマー、アルキルホスフェート又はアルキルソシアヌレートのような有機脂肪族ハロゲン化化合物；から選択され得る。
【００３４】
これらの成分は当該技術で広く知られており、例えば米国特許第４５７９９０６号明細書（例えば第３コラム、第３０ないし４１行）、第５３９３８１２号明細書を参照；またＰｌａｓｔｉｃ Ａｄｄｉｔｉｖｅｓ Ｈａｎｄｂｏｏｋ，Ｈ．ゼイフェル編,第５版., ハンサー出版.,ミュンヘン 2001,ページ６８１ないし６９８を参照。
【００３５】
熱可塑性樹脂
成分（ａ）の熱可塑性樹脂は、ポリオレフィン、ポリスチレン、およびＰＶＣを含む幅広く数多くの種類のポリマー型のいずれかである。例えば、前記熱可塑性樹脂は、ポリオレフィン、前記熱可塑性オレフィン、スチレンポリマーおよびコポリマー、ＡＢＳおよびヘテロ原子、二重結合もしくは芳香環を含むポリマーから成る樹脂の群から選択され得る。具体的態様は、成分（ａ）がポリプロピレン、ポリエチレン、熱可塑性オレフィン（ＴＰＯ）、ＡＢＳもしくはポリスチレンであるものである。
例えば、前記熱可塑性樹脂は、前記ポリオレフィン、ポリエチレン、熱可塑性オレフィン、スチレン性ポリマーおよびコポリマー、そしてＡＢＳから成る樹脂群から選択される。
【００３６】
本発明の別の態様は、熱可塑性樹脂がポリプロピレン、ポリエチレン、熱可塑性オレフィン（ＴＰＯ）、ＡＢＳそしてポリスチレンから成る群から選択されるものである。
例えば、前記熱可塑性樹脂はポリプロピレン、ポリエチレン、熱可塑性オレフィン（ＴＰＯ）である。成分（ａ）の有機ポリマーは、例えばポリプロピレン、ポリエチレンもしくはこれらのコポリマーのようなポリオレフィンのような熱可塑性ポリマーである。
例えば、成分（ａ）の前記熱可塑性樹脂は以下のものである：
１．モノオレフィン及びジオレフィンのポリマー、例えばポリプロピレン、ポリイソブチレン、ポリブテ−１−エン、ポリ−４−メチルペンテ−１−エン、ポリビニルシクロヘクサン、ポリイソプレンもしくはポリブタジエン並びにシクロオレフィンのポリマー、例えばシクロペンテンもしくはノルボルネン、ポリエチレン（所望により、架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
ポリオレフィン、即ち前段落で例示したモノオレフィンのポリマー、例えばポリエチレン及びポリプロピレンは、異なる、そして特別に以下の方法により製造される：
ａ）ラジカル重合（一般に高圧下及び高温下で）
ｂ）一般に周期表のＩＶｂ、Ｖｂ、ＶＩｂ、ＶＩＩＩ群の一つもしくは一つ以上の金属を含む触媒を使用する触媒重合。これらの金属は一般に、π−配位もしくはσ−配位である得る一つもしくは一つ以上の配位子、典型的に酸化物、ハロゲン化物、アルコラート、エステル、エーテル、アミン、アルキル、アルケニル、及び／もしくはアリールを有する。これらの金属複合体は遊離形態であるか又は基質上、典型的に活性塩化マグネシウム、塩化チタン（ＩＩＩ）、アルミナもしくは酸化ケイ素上に固定されていても良い。これらの触媒は重合媒体中に水溶性もしくは非水溶性であり得る。前記触媒は重合においてそれら自身が使用されるか又は追加の活性剤、典型的には金属アルキル基、金属水素化物、金属アルキルハロゲン化物、金属アルキル酸化物もしくは金属アルキルオキサンであって、前記金属が周期表のＩａ，ＩＩａ，及び／もしくはＩＩＩａ群の元素であるものが使用され得る。前記活性剤は、別のエステル、エーテル、アミンもしくはシリルエーテル基を用いて都合よく修正され得る。これらの触媒系は一般にフィリップス、スタンダードオイルインディアナ、ジーグラー（−ナッタ）、ＴＮＺ（デュポン）、メタロセンもしくは一部位触媒（ＳＳＣ）である。
【００３７】
２．１）で言及されたポリマーの混合物、例えばポリプロピレンとポリイソブチレン、ポリプロピレンの混合物とポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００３８】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらの他のポリマー、例えばポリアミドとの混合物。
【００３９】
４．水素化変性物（例えば増粘剤）を含む炭化水素樹脂（例えば炭素原子数５ないし９）
及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し；例えばアタクチックポリマーである。ステレオブロックポリマーがまた含まれる。
【００４０】
５．ポリスチレン、ポリ（ｐ−メチルスチレン）、ポリ（α−メチルスチレン）。
【００４１】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
【００４２】
６ａ．上述された芳香族ビニルモノマー及び、エチレン、プロピレン、ジエン、ニトリル、酸、マレイン酸無水物、マレイミド、酢酸ビニル及び塩化ビニル又はそのアクリル誘導体及び混合物から選択されるコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００４３】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００４４】
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
【００４５】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００４６】
８．ポリクロロプレン、塩素化ゴム、イソブチレン−イソプレンの塩素化及び臭素化コポリマー（ハロブチルゴム）、塩素化又はスルホ塩素化ポリエチレン、エチレン及び塩素化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルコポリマーのようなそれらのコボリマーのようなハロゲン含有ポリマー。
【００４７】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００４８】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００４９】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００５０】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００５１】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００５２】
１４．ポリフェニレンオキシド及びスルフィド、及びポリフェニレンオキシドとスチレンポリマー又はポリアミドとの混合物。
【００５３】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００５４】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性さ
れたポリアミド又はコポリアミド；及び加工の間に縮合されたポリアミド（ＲＩＭポリアミド系）。
【００５５】
１７．ポリ尿素、ポリイミド、ボリアミド−イミド、ポリエーテルイミド、ポリエステルイミド、ポリヒダントイン及びポリベンズイミダゾール。
【００５６】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックポリエーテルエステル；及びまたポリカーボネート又はＭＢＳで変性されたポリエステル。
【００５７】
１９．ポリカーボネート及びポリエステルカーボネート。
【００５８】
２０．ポリケトン。
【００５９】
２１．ポリスルホン、ポリエーテルスルホン及びポリエーテルケトン。
【００６０】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００６１】
成分（ａ）の前記熱可塑性樹脂は例えばポリプロピレンホモポリマーである。特に、本発明のワイヤー絶縁体、プラグ、およびソケット用の前記樹脂は本質的にはポリプロピレンホモポリマーから成る。前記“プラグ”という用語はもちろんプラグアセンブリの可塑性外皮部分を指す。
本発明の可塑性電気部品は例えば休日用照明として有用である。
【００６２】
本発明の前記組成物にとって、成分（ｂ）の添加剤混合物の量は成分（ａ）の質量に基づいておよそ５質量％ないしおよそ２０質量％である。例えば、成分（ｂ）は成分（ａ）の質量に基づいておよそ８質量％ないしおよそ１７質量％、もしくはおよそ１１質量％ないしおよそ１４質量％で存在する。例えば、成分（ｂ）は成分（ａ）の質量に基づいておよそ５質量％ないしおよそ１７質量％、もしくはおよそ５質量％ないしおよそ１４質量％、およそ５質量％ないしおよそ１１質量％もしくはおよそ５質量％ないしおよそ８質量％で存在する。例えば、成分（ｂ）は成分（ａ）の質量に基づいておよそ８質量％ないし２０質量％、もしくはおよそ１１質量％ないしおよそ２０質量％、およそ１４質量％ないしおよそ２０質量％もしくはおよそ１７質量％ないしおよそ２０質量％で存在する。
【００６３】
本発明のポリエチレンをベースとする樹脂にとって、成分（ｂ）の添加剤混合物の量は、成分（ａ）の質量に基づいておよそ１０質量％ないしおよそ２０質量％が最適である。例えば、成分（ｂ）は、成分（ａ）の質量に基づきおよそ１２質量％ないしおよそ１８質量％又はおよそ１４質量％ないし１６質量％で存在する、例えば、成分（ｂ）は、成分（ａ）の質量に基づいておよそ１２質量％ないしおよそ２０質量％、およそ１４質量％ないしおよそ２０質量％、およそ１６質量％ないしおよそ２０質量％、もしくはおよそ１８質量％ないしおよそ２０質量％存在する。例えば、成分（ｂ）は、成分（ａ）の質量に基づ
いておよそ１０質量％ないしおよそ１８質量％、およそ１０質量％ないしおよそ１６質量％もしくはおよそ１０質量％ないし１４質量％又はおよそ１０質量％ないしおよそ１２質量％存在する。
【００６４】
本発明のポリエチレンをベースとする樹脂にとって、成分（ｂ）の添加剤混合物の量は成分（ａ）の質量に基づいておよそ５質量％ないしおよそ１５質量％が最適であり例えば、
成分（ａ）の質量に基づきおよそ７％ないしおよそ１３％又はおよそ８％で存在する、例えば、成分（ｂ）は成分（ａ）の質量に基づいておよそ５質量％ないしおよそ１２質量％、およそ５質量％ないしおよそ９質量％もしくはおよそ５質量％ないしおよそ８質量％で存在する。例えば、成分（ｂ）は成分（ａ）の質量に基づいておよそ８質量％ないしおよそ１５質量％、およそ１１質量％ないしおよそ１５質量％もしくはおよそ１３質量％ないしおよそ１５質量％で存在する。
【００６５】
前記成分（ｉ）の成分（ｉｉ）に対する比率（質量部）は例えばおよそ１：５ないしおよそ１：２００の間であり、例えばおよそ１：１５ないしおよそ１：１００の間であり、例えばおよそ１：２５ないしおよそ１：７０の間であり、もしくは１：３０ないしおよそ１：５０の間である。例えば、成分（ｉ）の成分（ｉｉ）に対する比率はおよそ１：１５ないしおよそ１：２００の間であり、例えばおよそ１：２５ないしおよそ１：２００の間であり、もしくはおよそ１：３０ないしおよそ１：２００の間でありもしくはおよそ１：４０からおよそ１：２００の間である。例えば、成分（ｉ）の成分（ｉｉ）に対する質量比率はおよそ１：５ないしおよそ１：１００の間であり、もしくは１：５ないしおよそ１：７０の間であり、およそ１：５ないしおよそ１：５０の間でありもしくはおよそ１：５ないしおよそ１：４０の間である。
【００６６】
本発明の組成物は、Ｓｂ2Ｏ3のようなアンチモン化合物をほんの少量、例えば成分（ａ）の質量に基づいておよそ１質量％以下、例えば０．１質量％以下含んでおり、難燃剤の規格に適合する；例えば、本発明の組成物は本質的にはアンチモンを含まない。しかしながら、特定の調合物においては、アンチモン化合物は難燃剤の規格に適合するのに有利である。
【００６７】
難燃剤充填剤は、前記難燃特性を改善するためまた、例えば ＵＬ１６９４、ＵＬ９４、そしてＮＦＰＡ７０１試験において高評価を達成するためには必要ではない。その結果として、本発明の組成物は、難燃充填剤を少量のみ、例えば、成分（ａ）の質量に基づいておよそ３％以下、例えばおよそ１質量％以下ないし０．１質量％以下を含み得；例えば、本発明の組成物は本質的に難燃充填剤を含まない。
【００６８】
難燃剤フィルターは当該技術で既知であり、そしてマグネシウムヒドロキシド、アルミナトリハイドレイドそして亜鉛ボレートから成る群から選択される。難燃充填剤は難燃特性のためにそして“充填剤”として考えるのに十分に高い量で使用される無機化合物である。
【００６９】
タルク、カルシウムカーボネートのような慣用の充填剤等が普通燃焼している液滴（難燃剤それ自体は違うが）の拡散を減らすために、例えば流動性のために使用する場合、そのような慣用の充填剤もまた本発明の組成物の使用により減らし得る。
【００７０】
例えば、本発明の組成物は慣用の充填剤を少量だけ、例えば成分（ａ）の質量に基づいておよそ３％以下、例えばおよそ１質量％以下、例えば０．１質量％以下の含み得；例えば、本発明の組成物は本質的に慣用の充填剤を含まない。
【００７１】
さらに、本発明は慣用の充填剤がより高い難燃性充填剤の代わりになることを可能にする。結果として得られた本発明の安定化組成物はまた所望により、例えば、成分（ａ）の質量に基づいておよそ０．０１％ないし１０％、例えばおよそ０．０２５質量％ないしおよそ４質量％、例えばおよそ０．１％ないしおよそ２％の量で、下記の物質、もしくはそれらの混合物のような慣用の添加剤を含み得る。
【００７２】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐状ノニルフェノール、例えば、２，６−ジ−ノニル−４−メチルフェノール、２，４−ジメチル−６−（１'−メチルウンデシ−１'−イル）フェノール、２，４−ジメチル−６−（１'−メチルヘプタデシ−１'−イル）フェノール、２，４−ジメチル−６−（１'−メチルトリデシ−１'−イル）フェノール及びそれらの混合物。
【００７３】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７４】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００７５】
１．４．トコフェロール、
例えば、α−トコフェロール、β−トコフェロール、γ−トコフェロール、δ−トコフェロール及びそれらの混合物（ビタミンＥ）。
【００７６】
１．５．ヒドロキシル化チオジフェニルエーテル、
例えば、２，２'−チオビス（６−第三ブチル−４−メチルフェノール）、２，２'−チオビス（４−オクチルフェノール）、４，４'−チオビス（６−第三ブチル−３−メチルフェノール）、４，４'−チオビス（６−第三ブチル−２−メチルフェノール）、４，４'−チオビス（３，６−ジ−第二アミルフェノール）、４，４'−ビス（２，６−ジメチル−４−ヒドロキシフェニル）ジスルフィド。
【００７７】
１．６．アルキリデンビスフェノール、
例えば、２，２'−メチレンビス（６−第三ブチル−４−メチルフェノール）、２，２'−メチレンビス（６−第三ブチル−４−エチルフェノール）、２，２'−メチレンビス［４−メチル−６−（α−メチルシクロヘキシル）−フェノール］、２，２'−メチレンビス（４−メチル−６−シクロヘキシルフェノール）、２，２'−メチレンビス（６−ノニル−４−メチルフェノール）、２，２'−メチレンビス（４，６−ジ−第三ブチルフェノー
ル）、２，２'−エチリデンビス（４，６−ジ−第三ブチルフェノール）、２，２'−エチリデンビス（６−第三ブチル−４−イソブチルフェノール）、２，２'−メチレンビス［６−（α−メチルベンジル）−４−ノニルフェノール］、２，２'−メチレンビス［６−（α，α−ジメチルベンジル）−４−ノニルフェノール］、４，４'−メチレンビス（２，６−ジ−第三ブチルフェノール）、４，４'−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３'−第三ブチル−４'−ヒドロキシフェニル）ブチレート］、ビス（３−第三ブチル−４−ヒドロキシ−５−メチルフェニル）ジシクロペンタジエン、ビス［２−（３'−第三ブチル−２'−ヒドロキシ−５'−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００７８】
１．７．Ｏ−、Ｎ−及びＳ−ベンジル化合物、
例えば、３，５，３'，５'−テトラ−第三ブチル−４，４'−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００７９】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００８０】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８１】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三
ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８２】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００８３】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００８４】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８５】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８６】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８７】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８８】
１．１７．β−（３，５−ジ−第三ブチル−４−ヒドロキシフェニル）プロピオン酸のアミド、例えば、
Ｎ，Ｎ'−ビス（３，５−ジ−第三ブチル−４−ヒドロキシフェニルプロピオニル）ヘキサメチレンジアミド、Ｎ，Ｎ'−ビス（３，５−ジ−第三ブチル−４−ヒドロキシフェニルプロピオニル）トリメチレンジアミド、Ｎ，Ｎ'−ビス（３，５−ジ−第三ブチル−４−ヒドロキシフェニルプロピオニル）ヒドラジド、Ｎ，Ｎ'−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【００８９】
１．１８．アスコルビン酸（ビタミンＣ）
【００９０】
１．１９．アミン酸化防止剤、
例えば、Ｎ，Ｎ'−ジ−イソプロピル−ｐ−フェニレンジアミン、Ｎ，Ｎ'−ジ−第二ブチル−ｐ−フェニレンジアミン、Ｎ，Ｎ'−ビス（１，４−ジメチルペンチル）−ｐ−フェニレンジアミン、Ｎ，Ｎ'−ビス（１−エチル−３−メチルペンチル）−ｐ−フェニレンジアミン、Ｎ，Ｎ'−ビス（１−メチルヘプチル）−ｐ−フェニレンジアミン、Ｎ，Ｎ'−ジシクロヘキシル−ｐ−フェニレンジアミン、Ｎ，Ｎ'−ジフェニル−ｐ−フェニレンジアミン、Ｎ，Ｎ'−ビス（２−ナフチル）−ｐ−フェニレンジアミン、Ｎ−イソプロピル−Ｎ'−フェニル−ｐ−フェニレンジアミン、Ｎ−（１，３−ジメチルブチル）−Ｎ'−フェニル−ｐ−フェニレンジアミン、Ｎ−（１−メチルヘプチル）−Ｎ'−フェニル−ｐ−フェニレンジアミン、Ｎ−シクロヘキシル−Ｎ'−フェニル−ｐ−フェニレンジアミン、４−（ｐ−トルエンスルファモイル）ジフェニルアミン、Ｎ，Ｎ'−ジメチル−Ｎ，Ｎ'−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ'−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４'−ジアミノジフェニルメタン、４，４'−ジアミノジフェニルメタン、Ｎ，Ｎ，Ｎ'，Ｎ'−テトラメチル−４，４'−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１'，３'−ジメチルブチル）フェニル］アミン／第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル
化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ'，Ｎ'−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【００９１】
２．紫外線吸収剤及び光安定剤
２．１．２−（２−ヒドロキシフェニル）−２Ｈ−ベンゾトリアゾール、
例えば、公知の市販されているヒドロキシフェニル−２Ｈ−ベンゾトリアゾール類、及び、例えば、２−（２−ヒドロキシ−５−メチルフェニル）−２Ｈ−ベンゾトリアゾール、２−（３,５−ジ−第三ブチル−２−ヒドロキシフェニル）−２Ｈ−ベンゾトリアゾール、２−（２−ヒドロキシ−５−第三ブチルフェニル）−２Ｈ−ベンゾトリアゾール、２−（２−ヒドロキシ−５−第三オクチルフェニル）ベンゾトリアゾール、５−クロロ−２−（３，５−ジ−第三ブチル−２−ヒドロキシフェニル）−２Ｈ−ベンゾトリアゾール、５−クロロ−２−（３−第三ブチル−２−ヒドロキシ−５−メチルフェニル）−２Ｈ−ベンゾトリアゾール、２−（３−第二ブチル−５−第三ブチル−２−ヒドロキシフェニル）−２Ｈ−ベンゾトリアゾール、２−（２−ヒドロキシ−４−オクチロキシフェニル）−２Ｈ−ベンゾトリアゾール、２−（３，５−ジ−第三アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−第三ブチル−２−ヒドロキシ−５−（２−（ω−ヒドロキシ−オクタ（エチレンオキシ）カルボニル−エチル）−，フェニル）−２Ｈ−ベンゾトリアゾール、２−（３−ドデシル−２−ヒドロキシ−５−メチルフェニル）−２Ｈ−ベンゾトリアゾール、２−（３−第三ブチル−２−ヒドロキシ−５−（２−オクチロキシカルボニル）エチルフェニル）−２Ｈ−ベンゾトリアゾール、ドデシル化された２−（２−ヒドロキシ−５−メチルフェニル）−２Ｈ−ベンゾトリアゾール、２−（３−第三ブチル−２−ヒドロキシ−５−（２−オクチロキシカルボニルエチル）フェニル）−５−クロロ−２Ｈ−ベンゾトリアゾール、２−（３−第三ブチル−５−（２−（２−エチルヘキシロキシ）カルボニルエチル）−２−ヒドロキシフェニル）−５−クロロ−２Ｈ−ベンゾトリアゾール、２−（３−第三ブチル−２−ヒドロキシ−５−（２−メトキシカルボニルエチル）フェニル）−５−クロロ−２Ｈ−ベンゾトリアゾール、２−（３−第三ブチル−２−ヒドロキシ−５−（２−メトキシカルボニルエチル）フェニル）−２Ｈ−ベンゾトリアゾール、２−（３−第三ブチル−５−（２−（２−エチルヘキシロキシ）カルボニルエチル）−２−ヒドロキシフェニル）−２Ｈ−ベンゾトリアゾール、２−（３−第三ブチル−２−ヒドロキシ−５−（２−イソオクチロキシカルボニルエチル）フェニル−２Ｈ−ベンゾトリアゾール、２，２'−メチレン−ビス（４−第三オクチル−（６−２Ｈ−ベンゾトリアゾール−２−イル）フェノール）、２−（２−ヒドロキシ−３−α−クミル−５−第三オクチルフェニル）−２Ｈ−ベンゾトリアゾール、２−（２−ヒドロキシ−３−第三オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−第三オクチルフェニル）−２Ｈ−ベンゾトリアゾール、２−（３−第三ブチル−２−ヒドロキシ−５−（２−イソオクチ��キシカルボニルエチル）フェニル）−５−クロロ−２Ｈ−ベンゾトリアゾール、５−トリフルオロメチル−２−（２−ヒドロキシ−３−α−クミル−５−第三オクチルフェニル）−２Ｈ−ベンゾトリアゾール、５−トリフルオロメチル−２−（２−ヒドロキシ−５−第三オクチルフェニル）−２Ｈ−ベンゾトリアゾール、５−トリフルオロメチル−２−（２−ヒドロキシ−３，５−ジ−第三オクチルフェニル）−２Ｈ−ベンゾトリアゾール、メチル ３−（５−トリフルオロメチル−２Ｈ−ベンゾトリアゾール−２−イル）−５−第三ブチル−４−ヒドロキシヒドロシンナメート、５−ブチルスルホニル
−２−（２−ヒドロキシ−３−α−クミル−５−第三オクチルフェニル）−２Ｈ−ベンゾトリアゾール、５−トリフルオロメチル−２−（２−ヒドロキシ−３−α−クミル−５−第三ブチルフェニル）−２Ｈ−ベンゾトリアゾール、５−トリフルオロメチル−２−（２−ヒドロキシ−３，５−ジ−第三ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−第三ブチルフェニル）−２Ｈ−ベンゾトリアゾール及び５−フェニルスルホニル−２−（２−ヒドロキシ−３，５−ジ−第三ブチルフェニル）−２Ｈ−ベンゾトリアゾールのような、米国特許第３００４８９６号明細書、３０５５８９６号明細書、３０７２５８５号明細書、３０７４９１０号明細書、３１８９６１５号明細書、３２１８３３２号明細書、３２３０１９４号明細書、４１２７５８６号明細書、４２２６７６３号明細書、４２７５００４号明細書、４２７８５８９号明細書、４３１５８４８号明細書、４３４７１８０号明細書、４３８３８６３号明細書、４６７５３５２号明細書、４６８１９０５号明細書、４８５３４７１号明細書、５２６８４５０号明細書、５２７８３１４号明細書、５２８０１２４号明細書、５３１９０９１号明細書、５４１００７１号明細書、５４３６３４９号明細書、５５１６９１４号明細書、５５５４７６０号明細書、５５６３２４２号明細書、５５７４１６６号明細書、５６０７９８７号明細書、５９７７２１９号明細書及び６１６６２１８号明細書に開示されたベンゾトリアゾール類。
【００９２】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２'，４'−トリヒドロキシ及び２'−ヒドロキシ−４，４'−ジメトキシ誘導体。
【００９３】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００９４】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００９５】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２'−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００９６】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ'−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１'−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ'−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ'−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（��ＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ'−ビス−ホルミル−Ｎ，Ｎ'−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００９７】
２．７．オキサミド、
例えば、４，４'−ジオクチルオキシオキサニリド、２，２'−ジエトキシオキサニリド、２，２'−ジオクチルオキシ−５，５'−ジ−第三ブトキサニリド、２，２'−ジドデシルオキシ−５，５'−ジ−第三ブトキサニリド、２−エトキシ−２'−エチルオキサニリド、Ｎ，Ｎ'−ビス（３−ジメチルアミノプロピル）オキサミド、２−エトキシ−５−第三ブチル−２'−エトキサニリド及びその２−エトキシ−２'−エチル−５，４'−ジ−第三ブトキサニリドとの混合物、ｏ−及びｐ−メトキシ−二置換オキサニリドの混合物及びｏ−及びｐ−エトキシ−二置換オキサニリドの混合物。
【００９８】
２．８．トリス−アリール−ｏ−ヒドロキシフェニル−ｓ−トリアジン、
公知の市販されているトリス−アリール−ｏ−ヒドロキシフェニル−ｓ−トリアジン、及び、例えば、国際公開第９６／２８４３１号パンフレット及び米国特許第３８４３３７１号明細書，４６１９９５６号明細書，４７４０５４２号明細書，５０９６４８９号明細書，５１０６８９１号明細書，５２９８０６７号明細書，５３００４１４号明細書，５３５４７９４号明細書，５４６１１５１号明細書，５４７６９３７号明細書，５４８９５０３号明細書，５５４３５１８号明細書，５５５６９７３号明細書，５５９７８５４号明細書，５６８１９５５号明細書，５７２６３０９号明細書，５７３６５９７号明細書，５９４２６２６号明細書，５９５９００８号明細書，５９９８１１６号明細書，６０１３７０４号明細書，６０６０５４３号明細書，６１８７９１９号明細書，６２４２５９８号明細書及び６２５５４８３号明細書において開示されているようなトリアジン、例えば、４，６−ビス（２，４−ジメチルフェニル）−２−（２−ヒドロキシ−４−オクチロキシフェニル）−ｓ−トリアジン、シアソルブ（登録商標：Ｃｙａｓｏｒｂ）１１６４（サイテック（Ｃｙｔｅｃ）コーポレーション）、４，６−ビス（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチロキシカルボニルエチリデンオキシフェニル）−ｓ−トリアジン、２−フェニル−４−［２−ヒドロキシ−４−（３−第二ブチロキシ−２−ヒドロキシプロピロキシ）フェニル］−６−［２−ヒドロキシ−４−（３−第二アミロキシ−２−ヒドロキシプロピロキシ）フェニル］−ｓ−トリアジン、２，４−ビス（２，４−ジメチルフェニル）−６−［２−ヒドロキシ−４−（３−ベンジロキシ−２−ヒドロキシプロピロキシ）フェニル］−ｓ−トリアジン、２，４−ビス（２−ヒドロキシ−４−ｎ−ブチロキシフェニル）−６−（２，４−ジ−ｎ−ブチロキシフェニル）−ｓ−トリアジン、２，４−ビス（２，４−ジメチルフェニル）−６−［２−ヒドロキシ−４−（３−ノニロキシ*−２−ヒドロキシプロピロキシ）−５−α−クミルフェニル］−ｓ−トリアジン（*はオクチロキシ基、ノニロキシ基及びデシロキシ基の混合物を意味する。）、メチレンビス−｛２，４−ビス（２，４−ジメチルフェニル）−６−［２−ヒドロキシ−４−（３−ブチロキシ−２−ヒドロキシプロポキシ）フェニル］−ｓ−トリアジン｝、��：５'、５：５'及び３：３'の位置で５：４：１の比率で架橋したメチレン架橋二量体の混合物、２，４，６−トリス（２−ヒドロキシ−４−イソオクチロキシカルボニルイソプロピリデンオキシフェニル）−ｓ−トリアジン、２，４−ビス（２，４−ジメチルフェニル）−６−（２−ヒドロキシ−４−ヘキシロキシ−５−α−クミルフェニル）−ｓ−トリアジン、２−（２，４，６−トリメチルフェニル）−４，６−ビス［２−ヒドロキシ−４−（３−ブチロキシ−２−ヒドロキシプロピロキシ）フェニル］−ｓ−ト
リアジン、２，４，６−トリス［２−ヒドロキシ−４−（３−第二ブチロキシ−２−ヒドロキシプロピロキシ）フェニル］−ｓ−トリアジン、４，６−ビス−（２，４−ジメチルフェニル）−２−（２−ヒドロキシ−４−（３−ドデシロキシ−２−ヒドロキシプロポキシ）−フェニル）−ｓ−トリアジン及び４，６−ビス−（２，４−ジメチルフェニル）−２−（２−ヒドロキシ−４−（３−トリデシロキシ−２−ヒドロキシポロポキシ）−フェニル）−ｓ−トリアジンの混合物、チヌビン（登録商標：Ｔｉｎｕｖｉｎ）４００（チバスペシャルティ  ケミカルス  コーポレーション）、４，６−ビス−（２，４−ジメチルフェニル）−２−（２−ヒドロキシ−４−（３−（２−エチルヘキシロキシ）−２−ヒドロキシプロポキシ）−フェニル）−ｓ−トリアジン及び４，６−ジフェニル−２−（４−ヘキシロキシ−２−ヒドロキシフェニル）−ｓ−トリアジンが挙げられる。
【００９９】
３．金属不動態化剤、
例えば、Ｎ，Ｎ'−ジフェニルオキサミド、Ｎ−サリチラル−Ｎ'−サリチロイル−ヒドラジン、Ｎ，Ｎ'−ビス（サリチロイル）ヒドラジン、Ｎ，Ｎ'−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ'−ジアセチルアジポイルジヒドラジド、Ｎ，Ｎ'−ビス（サリチロイル）オキサリルジヒドラジド、Ｎ，Ｎ'−ビス（サリチロイル）チオプロピオニルジヒドラジド。
【０１００】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４'−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２'，２"−ニトリロ［トリエチルトリス（３，３'，５，５'−テトラ−第三ブチル−１，１'−ビフェニル−２，２'−ジイル）−ホスフィット］、２−エチルヘキシル（３，３'，５，５'−テトラ−第三ブチル−１，１'−ビフェニル−２，２'−ジイル）ホスフィット、５−ブチル−５−エチル−２−（２，４，６−トリ−第三ブチルフェノキシ）−１，３，２−ジオキサホスフィラン。
【０１０１】
具体例として次式のホスフィットが挙げられる。：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化３８】
0005570472.tif 000039
【化３９】
0005570472.tif 000040
【０１０２】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０３】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１０４】
７．チオ相乗剤、
例えば、ジラウリルチオジプロピオネート又はジステアリルチオジプロピオネート。
【０１０５】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１０６】
９．ポリアミド安定剤
例えば、ヨウ化物及び／又はリン化合物と組み合わせた銅塩及び二価マンガン。
【０１０７】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１０８】
１１．核剤、
例えば、タルクのような無機物質、二酸化チタン又は酸化マグネシウムのような金属酸化物、例えばアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ例えば１，３：２，４−ビス（３'，４'−ジメチルベンジリデン）ソルビトール、１，３：２，４−ジ（パラメチルジベンジリデン）ソルビトール、及び１，３：２，４−ジ（ベンジリデン）ソルビトール。
【０１０９】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１１０】
１３．他の添加剤
例えば、可塑剤、滑剤、乳化剤、顔料、レオロジー添加剤、触媒、流れ調整剤、蛍光増白剤、防炎加工剤、帯電防止剤及び発泡剤。
【０１１１】
１４．ベンゾフラノン及びインドリノン、
例えば、米国特許第４３２５８６３号公報；米国特許第４３３８２４４号公報；米国特許第５１７５３１２号公報；米国特許第５２１６０５２号公報；米国特許第５２５２６４３号公報；ドイツ国特許Ａ−４３１６６１１号公報；ドイツ国特許Ａ−４３１６６２２号公報；ドイツ国特許Ａ−４３１６８７６号公報；ヨーロッパ特許Ａ−０５８９８３９号公報又はヨーロッパ特許Ａ−０５９１１０２号公報に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３'−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１１２】
１５．アミンオキシド、
例えば、米国特許第５８４４０２９号明細書及び第５８８０１９１号明細書に開示されるようなアミンオキシド誘導体、ジデシルメチルアミンオキシド、トリデシルアミンオキシド、トリドデシルアミンオキシド及びトリヘキサデシルアミンオキシド。米国特許第５８４４０２９号明細書及び第５８８０１９１号明細書は、熱可塑性樹脂の安定化に向う飽和炭化水素アミンオキシドの使用を開示している。熱可塑性組成物は、フェノール性抗酸化剤、ヒンダードアミン光安定剤、紫外線吸収剤、有機リン化合物、脂肪酸のアルカリ金属塩及びチオ相乗剤から選択された安定剤又は安定剤の混合物をさらに含有していてもよいことが開示されている。ポリオレフィンの安定化に向う他の安定剤とアミンオキシドの併用は例示されていない。
【０１１３】
添加剤の具体的な例はフェノール系酸化防止剤（前記一覧の第１項目）、さらなる立体障害アミン（前記一覧の第２．６項目）、前記ベンゾトリアゾール及び／もしくはｏ−ヒドロキシフェニルトリアジン類の光安定剤（前記一覧の項目第２．１および項目第２．８）、ホスフィットおよびホスホナイト（前記一覧の項目第４）および過酸化水素破壊化合物（前記一覧の項目第５）。
ベンゾフラン−２−オン性添加剤（安定剤）の追加的な具体な例は、例えば米国特許出願公開第４３２５８６３号公報、米国特許出願公開第４３３８２４４号公報もしくは米国特許出願公開第５１７５３１２号公報に記載されている。
【０１１４】
本発明の組成物はさらにｓ−トリアジン、オキサニリド、ヒドロキシベンゾフェノン、ベンゾエートおよび前記α−シアノアクリレートから成る群から選択される別のＵＶ吸収体を含むことができる。
【０１１５】
特に、本発明の組成物はさらに有効安定化量の少なくとも一つの他の２−ヒドロキシフェニル−２Ｈ−ベンゾ−トリアゾール；もうひとつがトリス−アリール−ｓ−トリアジン；もしくはヒンダードアミンもしくはこれらの混合物を含み得る。例えば、追加的な成分
は色素、染料、可塑剤、酸化防止剤、チキソトロープ剤、均展助剤、塩基性補助安定剤、ＵＶ吸収剤または／もしくは立体障害アミンのようなさらなる光安定剤、金属不動態化剤、金属酸化物、有機リン化合物、ヒドロキシルアミン、そしてそれらの混合物、特に色素、フェノール系酸化防止剤、カルシウムステアラート、亜鉛ステアラート、２−（２'−ヒドロキシフェニル）ベンゾトリアゾール性または２−（２−ヒドロキシフェニル）１，３，５−トリアジン類のＵＶ吸収剤、立体障害アミンから選択される。
【０１１６】
本発明の添加剤および所望によるさらなる成分は、個々にポリマー材料に添加され得もしくは互いに混合し得る。所望により、前記個々の成分は、ポリマーに配合する前に例えば乾燥配合、圧縮、によってもしくは溶融物の形で互いに混合され得る。
【０１１７】
都合よくは、本発明の成分は酸捕捉剤を含む。
それゆえに、本発明のさらなる主題は
（ａ）熱可塑性樹脂、
（ｂ）（ｉ） 少なくともひとつの立体障害アルコキシアミン安定剤および
（ｉｉ）少なくともひとつの慣用の有機ハロゲン難燃剤との相乗混合物の有効難燃量および
（ｃ）酸捕捉剤
を含む電気部品用の難燃性ポリマー用組成物である。
【０１１８】
酸捕捉剤は、例えば米国特許第４４２７８１６号明細書、第５１０６８９８号明細書および第５２３４９８１号明細書（これらの関連開示事項は参照によりここに取り込まれている。）に記載されているもののようなヒドロタルサイト及び非晶塩基性アルミニウムマグネシウムカーボネートである。
ヒドロタルサイトはまたハイサイト（ｈｙｃｉｔｅ）もしくはＤＨＴ４Ａとして知られている。
ヒドロタルサイトは天然物もしくは合成物である。前記天然ヒドロタルサイトは構造式Ｍｇ6Ａｌ2（ＯＨ）16ＣＯ3・４Ｈ2Ｏを所有すると考えられている。合成ヒドロタルサイトの典型的な経験に基づく式はＡl2Ｍｇ4.35ＯＨ11.36ＣＯ3(1.67)・ｘＨ2Ｏである。
前記合成物の例はＭｇ0.7Ａｌ0.3（ＯＨ）2（ＣＯ3）0.15・０．５４Ｈ2Ｏ、Ｍｇ4.5Ａｌ2（ＯＨ）13ＣＯ3・３．５Ｈ2ＯおよびＭｇ4.2Ａｌ（ＯＨ）12.4ＣＯ3を含む。
【０１１９】
前記酸捕捉剤はポリマー組成物中に成分（ａ）の質量に基づいておよそ０．１質量％ないし１．０質量％の量で存在する。例えば、本発明の酸捕捉剤は成分（ａ）の質量に基づいておよそ０．２質量％ないしおよそ０．８質量％の量でもしくはおよそ０．４質量％ないしおよそ０．６質量％の量で存在する。例えば、本発明の酸捕捉剤は成分（ａ）の質量に基づいておよそ０．１質量％ないしおよそ０．８質量％の量で、およそ０．１質量％ないしおよそ０．６質量％の量で、およそ０．１質量％ないしおよそ０．４質量％の量でもしくはおよそ０．１質量％ないしおよそ０．２質量％の量で存在する。例えば、本発明の酸捕捉剤は成分（ａ）の質量に基づいておよそ０．２質量％ないしおよそ１．０質量％の量で、およそ０．４質量％ないしおよそ１．０質量％の量で、およそ０．６質量％ないしおよそ１．０質量％の量でもしくはおよそ０．８質量％ないしおよそ１．０質量％の量で存在する。
前記酸捕捉剤は本発明の組成物を色、臭気、安定性において補助する。
【０１２０】
本発明の前記組成物はナノスケールの充填剤を含み得る。ナノスケールの充填剤はまた
例えば米国特許第５８５３８８６号明細書および第６０２０４１９号明細書（これらの関連事項は参照によりここに組込まれている。）に開示されている“ナノクレイ”としても言及されている。
【０１２１】
本発明のナノスケールの充填剤は例えばフィロケイ酸塩もしくはスメクタイトクレー、例えば、親有機性のフィロケイ酸塩、天然性のフィロケイ酸塩、合成のフィロケイ酸塩またはそのようなフィロケイ酸塩の混合物である。
本発明のナノスケールの充填剤は例えばモンモリナイト、ベントナイト、バイデル石、ヘクトライト、サポナイト、スチーブンサイトである。
例えば、ナノスケールのモンモリナイトは“板状”構造もしくは小板構造を持つ。
前記小板は通常厚さおよそ２ナノメートル以下である。前記小板もしくは粒子は通常は平均直径およそ２０ナノメートルないし３０，０００ナノメートルの間であり、そして長さと幅の比率はおよそ３０，０００：１ないし２０：１の間である。そのような構造で表される商業上利用可能なナノスケールのモンモリナイトはナノコール（Ｎａｎｏｃｏｒ）社から入手可能なナノマー（Ｎａｎｏｍｅｒ）１．４２Ｅ（登録商標）およびサザンクレー（Ｓｏｕｔｈｅｒｎ Ｃｌａｙ）社から入手可能なクロイサイト３０Ｂ（Ｃｌｏｉｓｉｔｅ）（登録商標）である。
【０１２２】
ナノスケールの充填剤は高い表面エネルギーと共に非常に広い表面を持つ。それゆえ、凝結を避けるためまたポリマー中のナノスケールの充填剤が優れた分散性に達するためには、表面エネルギーの非活性化および前記ナノスケール充填剤のポリマーとの相溶性が、通常のマイクロスケール充填剤の場合よりもさらに重要である。フェイロケイ酸塩のようなナノスケールの充填剤は例えばアルキルアンモニウム塩を用いたイオン交換によって親有機性になる。そのような親有機性のフェイロケイ酸塩はより膨張しやすくなりまたポリマーマトリックスの中でより分散しやすい。
【０１２３】
処理されたナノスケールの充填剤はまた“処理された層状クレー材料”もしくは“有機クレー”として言及されている。
前記ナノスケールの充填剤は成分（ａ）の質量に基づいておよそ０．１質量％ないしおよそ１０質量％の量で、例えば成分（ａ）の質量に基づいておよそ１質量％ないしおよそ９質量％の量で、例えばおよそ３質量％ないしおよそ７質量％の量で、例えばおよそ５質量％の量で、本発明の組成物の中に存在する。
【０１２４】
本発明の前記組成物はメラミンベースの難燃性剤を含み得る。前記メラミンベースの難燃剤は例えば：
メラミンシアヌレート、
メラミンボレート、
メラミンホスフェート、
メラミンポリホスフェート、
メラミンピロホスフェート、
メラミンアンモニウムポリホスフェートそして
メラミンアンモニウムピロホスフェート
である。
【０１２５】
メラミンベースの難燃剤は成分（ａ）の質量に基づいておよそ０．５質量％ないしおよそ１５質量％の量で、およそ１質量％ないしおよそ１５質量％の量で、およそ３質量％な
いしおよそ１５質量％の量で、もしくはおよそ５質量％ないしおよそ１５質量％の量で、存在し得る。例えば、メラミンベースの難燃剤は成分（ａ）の質量に基づいておよそ０．５質量％ないしおよそ１２質量％の量で、およそ０．５質量％ないしおよそ１０質量％の量で、およそ０．５質量％ないしおよそ８質量％の量で、もしくはおよそ０．５質量％ないしおよそ６質量％の量で、使用し得る。
【実施例】
【０１２６】
本発明の実施例はいかなる場合においても限定的なものと解釈されるべきではない。
成分（ｂ）の有効な難燃量は、難燃性を評価するために使用する標準的な方法のうちのひとつで測定された難燃効力を示すために必要とされる量である。これらはＵＬ１６９４、ＵＬ９４そしてＮＦＰＡ７０１試験を含む；ＵＬ１６９４試験は小形ポリマー部品用材料の燃焼のための試験；ＮＥＰＡ７０１は難燃性繊維及びフィルムのための燃焼試験の標準方法、１９８９年版及び１９９６年及び１９９９年版；ＵＬ９４試験は装置及び機器の部品のためのプラスチック材料の燃焼性についてのＵＬ９４試験。ＵＬ９４試験による等級は以下の表の通りであった：
【表１】
0005570472.tif 000041
【０１２７】
実施例１：ポリプロピレン電気絶縁体
Ｎ−シクロヘキシロキシヒンダードアミン（ａ）−（ｆ）のうちの一つとトリス［３−ブロモ−２，２−ビス（ブロモメチル）プロピル］ホスフェートとの組み合わせ１５質量％を含み、それぞれのＮ−シクロヘキシロキシヒンダードアミンと慣用の有機ブロモ難燃剤との質量比率が１：１４であるポリプロピレンホモポリマーのサンプルを製造した。質量％はポリマーをベースにした。
【０１２８】
それぞれの配合物はＵＬ１６９４、小形ポリマー部品用材料の燃焼性についての試験の規格に適合（パスした）した。
【０１２９】
実施例２：ポリエチレン電気部品
ＨＤＰＥおよびＬＤＰＥであるが、Ｎ−シクロヘキシロキシヒンダードアミン（ａ）−（ｆ）のうちの一つとトリス［３−ブロモ−２，２−ビス（ブロモメチル）プロピル］ホスフェートとの組合わせの８質量％を含め、それぞれのＮ−シクロヘキシロキシヒンダードアミンと通常の有機ブロモ難燃剤との質量比率が１：１４であるポリエチレン電気部品を製造した。
それぞれの配合物はＮＦＰＡ７０１試験に適合（パスした）した。
【０１３０】
参考例３：ポリスチレン電気部品
ポリスチレン電気部品を用いて実施例２を繰り返した。それぞれの配合物はＵＬ９４およびＵＬ１６９４試験に適合（パス）した。
【０１３１】
実施例４：酸捕捉剤
本発明の酸捕捉剤のおよそ０．１％ないしおよそ１．０％のさらに追加して実施例１、２及び参考例３を繰り返した。
優れた難燃性の結果が達成された。本発明の酸捕捉剤をポリマーに基づき０．６質量％さらに追加すると、難燃性ポリマーの色、臭素および安定性が改善された。
【０１３２】
参考例：
トリス［３−ブロモ−２，２−ビス（ブロモメチル）プロピル］ホスフェートをテトラブロモビフェノールＡのビス（２，３−ジブロモプロピルエーテル）と取り替えて前記実施例を繰り返した。テトラブロモビフェノールＡのビス（２，３−ジブロモプロピルエーテル）は、例えば熱可塑性樹脂の質量に基づいておよそ９質量％ないしおよそ１５質量％、例えばおよそ１０質量％、およそ１２質量％もしくはおよそ１４質量％の量で使用された。この場合の立体障害アルコキシルアミンの慣用の有機ブロモ難燃剤に対する質量比率は、例えばおよそ１：２５ないしおよそ１：７０、およそ１：３０ないしおよそ１：５０、例えばおよそ１：４０もしくはおよそ１：５０であった。
三酸化アンチモンは前記熱可塑性樹脂に基づいておよそ２質量％ないしおよそ６質量％の割合で存在した。例えば、アンチモンはおよそ３質量％、およそ４質量％、およそ５質量％又はおよそ６質量％の量で存在する。メラミンベースの難燃剤はまた利点があった。例えば本発明のメラミンベースの難燃剤も熱可塑性樹脂に基づいておよそ５質量％ないしおよそ１５質量％、例えばおよそ６質量％、およそ７質量％、およそ８質量％、およそ９質量％もしくはおよそ１０質量％で存在した。前記配合物はＵＬ１６９４をパスした。